(57)【要約】【課題】エレベータをネットワーク連携させる技術を提供する。【解決手段】エレベータ１０は、通信部３００を含む。通信部３００は、所定の通信プロトコルにしたがって、通信対象となる装置との通信を行う。通信部３００は、エレベータの機器クラスに対応するプロパティの情報の設定を要求する設定要求、あるいはエレベータの機器クラスに対応するプロパティの情報の読み出しを要求する読み出し要求を通信対象となる装置から受信する。【選択図】図２
2019089609.tif 000002
【特許請求の範囲】
【請求項１】
エレベータであって、
所定の通信プロトコルにしたがって、通信対象となる装置との通信を行う通信部を備え、
前記通信部は、前記エレベータの機器クラスに対応するプロパティの情報の設定を要求する設定要求、あるいは前記エレベータの機器クラスに対応するプロパティの情報の読み出しを要求する読み出し要求を前記通信対象となる装置から受信することを特徴とするエレベータ。
【請求項２】
前記読み出し要求におけるプロパティの情報は、前記エレベータの稼働状態に関する情報を含むことを特徴とする請求項１に記載のエレベータ。
【請求項３】
前記エレベータの稼働状態に関する情報は、前記エレベータの停止階に関する情報を含むことを特徴とする請求項２に記載のエレベータ。
【請求項４】
前記エレベータの稼働状態に関する情報は、前記エレベータの移動方向に関する情報を含むことを特徴とする請求項２に記載のエレベータ。
【請求項５】
前記設定要求と前記読み出し要求の少なくとも一方におけるプロパティの情報は、前記エレベータの内部から入力された目的階に関する情報を含むことを特徴とする請求項１から４のいずれか１項に記載のエレベータ。
【請求項６】
前記設定要求と前記読み出し要求の少なくとも一方におけるプロパティの情報は、前記エレベータの外部から入力された目的階方向に関する情報を含むことを特徴とする請求項１から５のいずれか１項に記載のエレベータ。
【請求項７】
前記読み出し要求におけるプロパティの情報は、前記エレベータの扉の状態に関する情報を含むことを特徴とする請求項１から６のいずれか１項に記載のエレベータ。
【請求項８】
前記読み出し要求におけるプロパティの情報は、前記エレベータの内部の非常釦の操作の有無に関する情報を含むことを特徴とする請求項１から７のいずれか１項に記載のエレベータ。
【請求項９】
前記エレベータの内部の人の有無を検知する検知部をさらに備え、
前記通信部は、前記検知部において検知した前記エレベータの内部の人の有無に関する情報を送信することを特徴とする請求項１から８のいずれか１項に記載のエレベータ。
【請求項１０】
前記エレベータの昇降を制御する制御部をさらに備えることを特徴とする請求項１から９のいずれかに記載のエレベータ。
【請求項１１】
エレベータに接続可能な通信装置であって、
所定の通信プロトコルにしたがって、通信対象となる装置との通信を行う通信部を備え、
前記通信部は、前記エレベータの機器クラスに対応するプロパティの情報の設定を要求する設定要求、あるいは前記エレベータの機器クラスに対応するプロパティの情報の読み出しを要求する読み出し要求を前記通信対象となる装置から受信することを特徴とする通信装置。
【請求項１２】
所定の通信プロトコルにしたがって、エレベータに接続された装置であって、かつ通信対象となる装置との通信を行う通信部を備え、
前記通信部は、前記エレベータの機器クラスに対応するプロパティの情報の設定を要求する設定要求、あるいは前記エレベータの機器クラスに対応するプロパティの情報の読み出しを要求する読み出し要求を前記通信対象となる装置に送信することを特徴とする通信装置。
【請求項１３】
エレベータにおけるプログラムであって、
所定の通信プロトコルにしたがって、通信対象となる装置との通信を行うステップを備え、
前記通信を行うステップは、前記エレベータの機器クラスに対応するプロパティの情報の設定を要求する設定要求、あるいは前記エレベータの機器クラスに対応するプロパティの情報の読み出しを要求する読み出し要求を前記通信対象となる装置から受信することをコンピュータに実行させるためのプログラム。
【請求項１４】
所定の通信プロトコルにしたがって、エレベータに接続された装置であって、かつ通信対象となる装置との通信を行うステップを備え、
前記通信を行うステップは、前記エレベータの機器クラスに対応するプロパティの情報の設定を要求する設定要求、あるいは前記エレベータの機器クラスに対応するプロパティの情報の読み出しを要求する読み出し要求を前記通信対象となる装置に送信することをコンピュータに実行させるためのプログラム。
【発明の詳細な説明】
【技術分野】
【０００１】
本発明は、通信を実行するエレベータ、通信装置、プログラムに関する。
【背景技術】
【０００２】
電力制御システム（ＥＭＳ：Ｅｎｅｒｇｙ  Ｍａｎａｇｅｍｅｎｔ  Ｓｙｓｔｅｍ）は、電力の需要家施設に設けられ、複数の機器を制御する機器制御装置を備える。機器制御装置が複数の機器を制御するために、電力制御システムに通信プロトコルが導入される。通信プロトコルの１つであるＥＣＨＯＮＥＴ  Ｌｉｔｅ（登録商標）は、機器の種別ごとに機器クラスを規定し、機器が持つ情報および制御対象をプロパティとして機器クラスごと規定する（例えば、特許文献１参照）。
【先行技術文献】
【特許文献】
【０００３】
【特許文献１】国際公開第１５／０９３４９４号
【発明の概要】
【発明が解決しようとする課題】
【０００４】
電力制御システムは、電力会社等からの電力の供給を受けている施設である需要家内に設置される。このような需要家内にはエレベータ、例えばホームエレベータも設置されることがあるが、エレベータは、ネットワーク連携されず、単独使用されている。しかしなから、エレベータの利便性を向上させるためには、エレベータをネットワーク連携させる方が望ましい。
【０００５】
本発明はこうした状況に鑑みなされたものであり、その目的は、エレベータをネットワーク連携させる技術を提供することにある。
【課題を解決するための手段】
【０００６】
上記課題を解決するために、本発明のある態様のエレベータは、エレベータであって、所定の通信プロトコルにしたがって、通信対象となる装置との通信を行う通信部を備える。通信部は、エレベータの機器クラスに対応するプロパティの情報の設定を要求する設定要求、あるいはエレベータの機器クラスに対応するプロパティの情報の読み出しを要求する読み出し要求を通信対象となる装置から受信する。
【０００７】
本発明の別の態様は、通信装置である。この装置は、エレベータに接続可能な通信装置であって、所定の通信プロトコルにしたがって、通信対象となる装置との通信を行う通信部を備える。通信部は、エレベータの機器クラスに対応するプロパティの情報の設定を要求する設定要求、あるいはエレベータの機器クラスに対応するプロパティの情報の読み出しを要求する読み出し要求を通信対象となる装置から受信する。
【０００８】
本発明のさらに別の態様もまた、通信装置である。この装置は、所定の通信プロトコルにしたがって、エレベータに接続された装置であって、かつ通信対象となる装置との通信を行う通信部を備える。通信部は、エレベータの機器クラスに対応するプロパティの情報の設定を要求する設定要求、あるいはエレベータの機器クラスに対応するプロパティの情報の読み出しを要求する読み出し要求を通信対象となる装置に送信する。
【０００９】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【００１０】
本発明によれば、エレベータをネットワーク連携させることができる。
【図面の簡単な説明】
【００１１】
【図１】実施例に係る通信システムの構成を示す図である。
【図２】図１のエレベータと端末装置の構成を示す図である。
【図３】図１の通信システムにおいて使用されるメッセージのフォーマットを示す図である。
【図４】図１の通信システムにおいて規定されるプロパティのデータ構造を示す図である。
【図５】図２の記憶部に記憶される管理テーブルのデータ構造を示す図である。
【図６】図６（ａ）−（ｂ）は、図１の通信システムにおいて規定される別のプロパティのデータ構造を示す図である。
【図７】図７（ａ）−（ｃ）は、図１の通信システムにおいて規定されるさらに別のプロパティのデータ構造を示す図である。
【図８】図１の通信システムによる通信手順を示すシーケンス図である。
【図９】変形例に係る通信システムの構成を示す図である。
【発明を実施するための形態】
【００１２】
本発明の実施例を具体的に説明する前に、本実施例の概要を説明する。実施例は、住宅等の需要家内に設置される通信システムに関する。通信システムは、これまでと同様にＥＭＳに使用されてもよいが、ここでは、特に、ホームエレベータのようなエレベータを接続する。通信システムにエレベータを接続することによって、スマートフォン等の端末装置を使用して、エレベータから情報を読み出したり、エレベータに情報を設定したりすることが可能になる。このような通信システムの通信プロトコルとして、例えばＥＣＨＯＮＥＴ  Ｌｉｔｅ（登録商標）の使用が想定される。ＥＣＨＯＮＥＴ  Ｌｉｔｅ（登録商標）は、ＯＳＩ参照モデルの第５層および第６層に相当する通信ミドルウェアの仕様を規定する。また、ＥＣＨＯＮＥＴ  Ｌｉｔｅ（登録商標）は、機器の種別ごとに機器クラスを規定し、当該機器に関するパラメータをプロパティとして機器クラスごとに規定する。本実施例では、エレベータをネットワーク連携させるために、ホームエレベータの機器クラスを規定する。
【００１３】
図１は、通信システム１００の構成を示す。通信システム１００は、エレベータ１０、端末装置１２、他機器１４、ルータ１６を含む。ルータ１６は、住宅等の需要家内に設置される。ルータ１６には、エレベータ１０、端末装置１２、他機器１４が接続される。エレベータ１０、端末装置１２、他機器１４は、いずれも通信機能、例えば、無線ＬＡＮ等の無線通信機能あるいは有線通信機能を備える。このような構成によって、エレベータ１０は、ルータ１６を介して端末装置１２からアクセスされる。また、他機器１４は、例えば、太陽光発電装置、蓄電池装置である。ここでは、それぞれ１つのエレベータ１０、端末装置１２、他機器１４が示されるが、これらの数は「１」に限定されない。また、エレベータ１０、他機器１４は機器と総称される。
【００１４】
図２は、エレベータ１０と端末装置１２の構成を示す。エレベータ１０は、通信部３００、制御部３０２、センサ３０４、設定部３０６を含み、端末装置１２は、通信部２００、処理部２０２、操作部２０４、表示部２０６、記憶部２０８を含む。ここでは、説明を明瞭にするために、図１の他機器１４、ルータ１６を省略する。エレベータ１０は、例えば、住宅内に設置されるホームエレベータである。
【００１５】
以下では、（１）初期登録、（２）プロパティ値の設定、（３）プロパティ値の読み出し、（４）状態変化によるイベント通知、（５）プロパティ情報の具体例の順に説明する。
（１）初期登録
初期登録とは、端末装置１２から機器へのアクセスを可能にするために、端末装置１２において機器を登録するための処理である。本実施例において機器はエレベータ１０であるとする。この処理登録は、後述する（２）プロパティ値の設定、（３）プロパティ値の読み出し、（４）状態変化によるイベント通知を実行する前になされる。
【００１６】
端末装置１２の操作部２０４は、タッチパネル、ボタン等により構成されており、端末装置１２を使用するユーザによる操作を受けつける。操作部２０４は、ユーザからの操作を処理部２０２に出力する。表示部２０６は、液晶ディスプレイ、有機ＥＬ（Ｅｌｅｃｔｒｏ  Ｌｕｍｉｎｅｓｃｅｎｃｅ）ディスプレイ等により構成されており、処理部２０２からの情報、画像を受けつけ、情報、画像を表示する。なお、操作部２０４がタッチパネルである場合、操作部２０４と表示部２０６とは一体的に構成される。処理部２０２は、操作部２０４からの操作を受けつけるとともに、表示部２０６に情報、画像を出力する。また、処理部２０２は、通信部２００との間で、これらを入出力する。
【００１７】
表示部２０６において初期登録の設定画面が表示されている場合において、ユーザが、操作部２０４を使用して初期登録の実行を指示する。これは、ユーザによる機器の検索操作ともいえる。処理部２０２は、操作部２０４から受けつけた指示に応じて、ホームエレベータの機器クラスを有する機器に対して、機器ＩＤプロパティを要求するためのメッセージを送信することを通信部２００に指示する。なお、機器ＩＤとは、通信システム１００内で機器を一意に特定するための情報である。
【００１８】
通信部２００は、処理部２０２からの指示に応じたメッセージの生成、メッセージの送受信、受信したメッセージの解析を実行する。ここでは、まずメッセージのフォーマットを説明する。図３は、通信システム１００において使用されるメッセージのフォーマットを示す。メッセージは、ＩＰアドレス、送信元クラスＩＤ、送信先クラスＩＤ、コマンド種別、プロパティ情報を先頭から順に配置する。ＩＰ（Ｉｎｔｅｒｎｅｔ  Ｐｒｏｔｏｃｏｌ）アドレスには、送信元のＩＰアドレスと送信先のＩＰアドレスが含まれる。送信元クラスＩＤは、送信元の機器クラスを識別するためのＩＤであり、送信先クラスＩＤは、送信先の機器クラスを識別するためのＩＤである。
【００１９】
コマンド種別は、後述のプロパティ値に対する操作内容を識別するための情報である。コマンド種別には、例えば、プロパティ値の設定要求である「Ｓｅｔ」、あるいはプロパティ値の読み出し要求である「Ｇｅｔ」等が設定される。プロパティ情報には、プロパティＩＤとプロパティ値との組合せが１つ以上含まれる。プロパティＩＤは、プロパティを識別するためのＩＤであり、プロパティ値は、当該プロパティＩＤに対する値である。このプロパティＩＤによって識別されるプロパティは、機器クラスごとに規定される。また、プロパティＩＤとプロパティ値との組合せの数がプロパティ数に示される。図２に戻る。
【００２０】
通信部２００は、処理部２０２からの指示に応じて、機器ＩＤプロパティのメッセージを生成する際、通信システム１００に含まれるすべての機器に対して問合せを行うために、送信先のＩＰアドレスにマルチキャストアドレスを設定する。また、通信部２００は、送信先クラスＩＤに、ホームエレベータの機器クラスを設定し、コマンド種別に、プロパティ値の読み出し要求である「Ｇｅｔ」を設定する。ここで、機器ＩＤプロパティは図４のように示される。図４は、通信システム１００において規定されるプロパティのデータ構造を示す。これは、機器ＩＤプロパティを示す。プロパティ値には機器ＩＤが設定されるが、この段階においては機器ＩＤが未知であるので、プロパティ値にはダミー値が設定される。図２に戻る。
【００２１】
これに続いて、通信部２００は、所定の通信プロトコルにしたがって、通信システム１００に含まれる各機器との通信を行う。所定の通信プロトコルの一例は、前述のごとく、ＥＣＨＯＮＥＴ  Ｌｉｔｅ（登録商標）である。ここでは、機器ＩＤプロパティのメッセージをマルチキャスト送信する。
【００２２】
エレベータ１０の通信部３００は、通信部２００と同様に、所定の通信プロトコルにしたがって、通信システム１００に含まれる各機器との通信を行う。また、通信部３００は、メッセージの送受信、受信したメッセージの解析、送信すべきメッセージの生成を実行する。なお、通信部３００が受信するメッセージを「要求メッセージ」と呼び、通信部３００が送信するメッセージを「応答メッセージ」と呼ぶこともある。さらに、通信部３００は、クラスＩＤとしてホームエレベータの機器クラスを保持するとともに、機器ＩＤをプロパティ値として保持する。
【００２３】
通信部３００は、端末装置１２から受信した要求メッセージに含まれたプロパティ情報をもとに、プロパティＩＤおよびプロパティ値を特定する。また、通信部３００は、要求メッセージに含まれたコマンド種別をもとに、プロパティ値に対する操作内容を識別する。具体的に説明すると、通信部３００は、端末装置１２から受信した要求メッセージにおけるにおけるプロパティＩＤから機器ＩＤプロパティを特定する。また、通信部３００は、要求メッセージにおけるコマンド種別から、プロパティ値の読み出し要求であることを識別する。
【００２４】
これに応じて、通信部３００は、エレベータ１０の機器ＩＤプロパティのプロパティ値を取得し、当該プロパティ値を格納した応答メッセージを生成する。応答メッセージにおける送信元のＩＰアドレスには、エレベータ１０のＩＰアドレスが設定され、送信先のＩＰアドレスには、端末装置１２のＩＰアドレスが設定される。また、送信元クラスＩＤには、ホームエレベータの機器クラスが設定され、プロパティ情報のプロパティＩＤには「０ｘ００」が設定される。通信部３００は、応答メッセージを端末装置１２に送信する。なお、通信部３００は、エレベータ１０に外付けされていてもよい。
【００２５】
端末装置１２の通信部２００は、エレベータ１０からの応答メッセージを受信する。通信部２００は、応答メッセージに含まれたプロパティ情報をもとに、プロパティＩＤおよびプロパティ値を特定する。具体的に説明すると、通信部２００は、エレベータ１０から受信した応答メッセージにおけるプロパティＩＤから機器ＩＤプロパティを特定し、プロパティ値から機器ＩＤプロパティのプロパティ値を特定する。通信部２００は、エレベータ１０の機器ＩＤと、応答メッセージにおける送信元のＩＰアドレスとを処理部２０２に出力する。
【００２６】
処理部２０２は、通信部２００から受けつけたエレベータ１０の機器ＩＤを表示部２０６に表示させる。ユーザは、表示部２０６に表示された機器ＩＤを確認し、これに対応した機器の名称を操作部２０４により入力する。処理部２０２は、操作部２０４において受けつけた機器の名称と、機器ＩＤと、通信部２００から受けつけたＩＰアドレスとを対応づけて、記憶部２０８の管理テーブルに記憶させる。図５は、記憶部２０８に記憶される管理テーブルのデータ構造を示す。図５は、記憶部２０８に記憶される管理テーブルのデータ構造を示す。管理テーブルには、図示のごとく、機器ＩＤ、機器名称、ＩＰアドレスの組合せが記憶される。図２に戻る。
【００２７】
（２）プロパティ値の設定
ユーザは、端末装置１２の表示部２０６に表示された画面を見ながら、操作部２０４を使用して、エレベータ１０に設定すべき内容を入力する。この入力において、エレベータ１０の機器ＩＤも特定される。処理部２０２は、操作部２０４から受けつけた内容に応じて、エレベータ１０に対して、プロパティ値の設定を要求するための要求メッセージを送信することを通信部２００に指示する。その際、処理部２０２は、操作部２０４から受けつけた機器ＩＤをもとに記憶部２０８の管理テーブルを検索することによって、エレベータ１０のＩＰアドレスを取得し、これも通信部２００に出力する。
【００２８】
通信部２００は、処理部２０２からの指示に応じて、プロパティ値の設定を要求するための要求メッセージを生成する際、処理部２０２から受けつけたＩＰアドレスを送信先のＩＰアドレスに設定する。また、通信部２００は、送信先クラスＩＤに、ホームエレベータの機器クラスを設定し、コマンド種別に、プロパティ値の設定要求である「Ｓｅｔ」を設定する。さらに、通信部２００は、設定対象となるプロパティＩＤおよび設定内容となるプロパティ値も設定するが、これらについては後述する。これに続いて、通信部２００は、ホームエレベータの機器クラスに対応するプロパティ値の設定を要求する設定要求が含まれた要求メッセージを通信対象となるエレベータ１０に送信する。
【００２９】
エレベータ１０の通信部３００は、ホームエレベータの機器クラスに対応するプロパティ値の設定を要求する設定要求が含まれた要求メッセージを端末装置１２から受信する。通信部３００は、端末装置１２から受信した要求メッセージに含まれたプロパティ情報をもとに、プロパティＩＤおよびプロパティ値を特定する。また、通信部３００は、要求メッセージに含まれたコマンド種別をもとに、プロパティ値に対する操作内容として、プロパティ値の設定要求であることを識別する。これに応じて、通信部３００は、設定要求を制御部３０２に指示するとともに、プロパティＩＤとプロパティ値を制御部３０２に出力する。
【００３０】
制御部３０２は、エレベータ１０の昇降を制御する。また、制御部３０２は、通信部３００からの設定要求に基づいて、エレベータ１０に対する設定を実行する。これは、プロパティＩＤとプロパティ値に応じた設定を設定部３０６に対して実行することに相当する。具体的な処理は後述する。また、制御部３０２は、設定が完了したことを通信部３００に通知する。通信部３００は、設定の完了を制御部３０２から通知された場合に、応答メッセージを生成して、応答メッセージを端末装置１２に送信する。
【００３１】
（３）プロパティ値の読み出し
ユーザは、端末装置１２の表示部２０６に表示された画面を見ながら、操作部２０４を使用して、エレベータ１０から読み出すべきプロパティ情報を入力する。この入力において、エレベータ１０の機器ＩＤも特定される。処理部２０２は、操作部２０４から受けつけた内容に応じて、エレベータ１０に対して、プロパティ値の読み出しを要求するための要求メッセージを送信することを通信部２００に指示する。その際、処理部２０２は、操作部２０４から受けつけた機器ＩＤをもとに記憶部２０８の管理テーブルを検索することによって、エレベータ１０のＩＰアドレスを取得し、これも通信部２００に出力する。
【００３２】
通信部２００は、処理部２０２からの指示に応じて、プロパティ値の読み出しを要求するための要求メッセージを生成する際、処理部２０２から受けつけたＩＰアドレスを送信先のＩＰアドレスに設定する。また、通信部２００は、送信先クラスＩＤに、ホームエレベータの機器クラスを設定し、コマンド種別に、プロパティ値の読み出し要求である「Ｇｅｔ」を設定する。さらに、通信部２００は、制御対象となるプロパティＩＤも設定するが、これについては後述する。これに続いて、通信部２００は、ホームエレベータの機器クラスに対応するプロパティ値の読み出しを要求する読み出し要求が含まれた要求メッセージを通信対象となるエレベータ１０に送信する。
【００３３】
エレベータ１０の通信部３００は、ホームエレベータの機器クラスに対応するプロパティ値の読み出しを要求する読み出し要求が含まれた要求メッセージを端末装置１２から受信する。通信部３００は、端末装置１２から受信した要求メッセージに含まれたプロパティ情報をもとに、プロパティＩＤを特定する。また、通信部３００は、要求メッセージに含まれたコマンド種別をもとに、プロパティ値に対する操作内容として、プロパティ値の読み出し要求であることを識別する。これに応じて、通信部３００は、読み出し要求を制御部３０２に指示するとともに、プロパティＩＤを制御部３０２に出力する。
【００３４】
制御部３０２は、エレベータ１０の動作状態・設定状態の管理を行う。具体的には、制御部３０２は、センサ３０４から受けつけた情報をもとに動作状態・設定状態を管理する。制御部３０２は、通信部３００から読み出し要求とプロパティＩＤとを受けつけた場合、当該プロパティＩＤに対応したプロパティ値を通信部３００に出力する。通信部３００は、制御部３０２から受けつけたプロパティ値を格納した応答メッセージを生成する。応答メッセージにおける送信元のＩＰアドレスには、エレベータ１０のＩＰアドレスが設定され、送信先のＩＰアドレスには、端末装置１２のＩＰアドレスが設定される。また、送信元クラスＩＤには、ホームエレベータの機器クラスが設定され、プロパティ情報のプロパティＩＤには要求メッセージでのプロパティＩＤが設定される。通信部３００は、応答メッセージを端末装置１２に送信する。
【００３５】
端末装置１２の通信部２００は、エレベータ１０からの応答メッセージを受信する。通信部２００は、応答メッセージに含まれたプロパティ情報をもとに、プロパティＩＤおよびプロパティ値を特定する。通信部２００は、特定したプロパティＩＤおよびプロパティ値を処理部２０２に出力する。処理部２０２は、例えば、プロパティＩＤおよびプロパティ値を表示部２０６に表示させる。処理部２０２におけるプロパティＩＤおよびプロパティ値に対する処理はこれに限定されない。
【００３６】
（４）状態変化によるイベント通知
制御部３０２は、センサ３０４から受けつけた情報を監視する。制御部３０２は、監視している情報が変化した場合、変化した情報に対するプロパティＩＤおよびプロパティ値を特定する。つまり、制御部３０２は、センサ３０４における状態の変化を受けつける。これは、エレベータ１０では、内部異常状態の管理をしており、異常が発生した場合、異常に関する情報を制御部３０２に通知することに相当する。制御部３０２は、プロパティＩＤおよびプロパティ値を通信部３００に出力する。このプロパティＩＤおよびプロパティ値は異常プロパティ情報あるいは変化情報ともいえる。
【００３７】
通信部３００は、制御部３０２から受けつけたプロパティＩＤおよびプロパティ値を格納したメッセージを生成する。メッセージにおける送信元のＩＰアドレスには、エレベータ１０のＩＰアドレスが設定され、送信先のＩＰアドレスには、端末装置１２のＩＰアドレスが設定される。また、送信元クラスＩＤには、ホームエレベータの機器クラスが設定される。通信部３００は、メッセージを端末装置１２に送信する。
【００３８】
端末装置１２の通信部２００は、エレベータ１０からのメッセージを受信する。通信部２００は、メッセージに含まれたプロパティ情報をもとに、プロパティＩＤおよびプロパティ値を特定する。通信部２００は、特定したプロパティＩＤおよびプロパティ値を処理部２０２に出力する。処理部２０２は、例えば、プロパティＩＤおよびプロパティ値を表示部２０６に表示させる。処理部２０２におけるプロパティＩＤおよびプロパティ値に対する処理はこれに限定されない。
【００３９】
（５）プロパティ情報の具体例
以下では、（２）プロパティ値の設定、（３）プロパティ値の読み出し、（４）状態変化によるイベント通知において処理対象とされるプロパティ情報を具体的に説明する。
図６（ａ）−（ｂ）は、通信システム１００において規定される別のプロパティのデータ構造を示す。図６（ａ）は、稼働状態プロパティを示す。稼働状態プロパティは、エレベータ１０の稼働状態の情報を管理する。稼働状態はセンサ３０４によって検出され、制御部３０２が検出結果を動作状態・設定状態として管理する。具体的に説明すると、エレベータ１０の稼働状態として、エレベータ１０の停止階あるいはエレベータ１０の移動方向が検出され、その情報が管理される。また、稼働状態プロパティは、プロパティ値の読み出し、状態変化によるイベント通知において使用される。
【００４０】
図６（ｂ）は、エレベータ内操作状態プロパティ、乗り場操作状態プロパティ（１Ｆ〜４Ｆ）を示す。エレベータ内操作状態プロパティは、エレベータ１０内に設置されたインジケータパネルの操作情報を管理する。これは、エレベータ１０の内部から入力された目的階に関する情報である。設定部３０６は、エレベータ１０内に設置されたインジケータパネルからの操作を受けつける。設定部３０６において設定された操作情報は、動作状態・設定状態として制御部３０２に管理される。また、エレベータ内操作状態プロパティは、プロパティ値の読み出し、プロパティ値の設定、状態変化によるイベント通知において使用される。
【００４１】
乗り場操作状態プロパティ（１Ｆ〜４Ｆ）は、各階のエレベータ１０外に設置されたインジケータパネルであって、かつエレベータ呼び出し時に操作されるインジケータパネルの操作情報を管理する。これは、エレベータ１０の外部から入力された目的階方向に関する情報である。なお、エレベータ１０が設置される住宅が２階建ての場合、乗り場操作状態プロパティ（３Ｆ、４Ｆ）のプロパティ値は「０ｘＦＦ（未設定）」にされる。設定部３０６は、各階のエレベータ１０外に設置されたインジケータパネルからの操作を受けつける。設定部３０６において設定された操作情報は、動作状態・設定状態として制御部３０２に管理される。また、乗り場操作状態プロパティ（１Ｆ〜４Ｆ）は、プロパティ値の読み出し、プロパティ値の設定、状態変化によるイベント通知において使用される。
【００４２】
図７（ａ）−（ｃ）は、通信システム１００において規定されるさらに別のプロパティのデータ構造を示す。図７（ａ）は、扉開閉状態プロパティを示す。扉開閉状態プロパティは、エレベータ１０の扉の開閉状態を管理する。エレベータ１０の扉の開閉状態はセンサ３０４によって検出され、制御部３０２が検出結果を動作状態・設定状態として管理する。また、扉開閉状態プロパティは、プロパティ値の読み出し、状態変化によるイベント通知において使用される。
【００４３】
図７（ｂ）は、非常状態プロパティを示す。非常状態プロパティは、ユーザによるエレベータ１０内での非常釦の押下状態を管理する。これは、エレベータ１０の内部の非常釦の操作の有無に関する情報である。非常釦の押下状態はセンサ３０４によって検出され、制御部３０２が検出結果を動作状態・設定状態として管理する。また、非常状態プロパティは、プロパティ値の読み出し、状態変化によるイベント通知において使用される。図７（ｃ）は、人体検知状態プロパティを示す。人体検知状態プロパティは、エレベータ１０内における人員の有無状態を管理する。人員の有無状態はセンサ３０４によって検出され、制御部３０２が検出結果を動作状態・設定状態として管理する。また、人体検知状態プロパティは、状態変化によるイベント通知において使用される。
【００４４】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４５】
以上の構成による通信システム１００の動作を説明する。図８は、通信システム１００による通信手順を示すシーケンス図である。端末装置１２は、機器ＩＤプロパティの要求メッセージをエレベータ１０、他機器１４にブロードキャスト送信する（Ｓ１０、Ｓ１２）。エレベータ１０は機器ＩＤプロパティの応答メッセージを端末装置１２に送信する（Ｓ１４）。端末装置１２はエレベータ１０の機器ＩＤ等を登録する（Ｓ１６）。端末装置１２は設定要求メッセージをエレベータ１０に送信する（Ｓ１８）。エレベータ１０は設定応答メッセージを端末装置１２に送信する（Ｓ２０）。端末装置１２は読み出し要求メッセージをエレベータ１０に送信する（Ｓ２２）。エレベータ１０は読み出し応答メッセージを端末装置１２に送信する（Ｓ２４）。
【００４６】
これまでは、端末装置１２が、ＥＣＨＯＮＥＴ  Ｌｉｔｅ（登録商標）に対応し、ルータ１６を介してエレベータ１０と通信を実行している。しかしながら、端末装置１２が、ＥＣＨＯＮＥＴ  Ｌｉｔｅ（登録商標）に対応しなくてもよい。以下では、そのような場合の構成を説明する。図９は、変形例に係る通信システム１００の構成を示す。通信システム１００は、エレベータ１０、端末装置１２、他機器１４、ルータ１６、ＨＥＭＳ制御装置１８、サーバ２０を含む。端末装置１２はＨＥＭＳ制御装置１８と通信し、ＨＥＭＳ制御装置１８はエレベータ１０と通信する。この場合、エレベータ１０とＨＥＭＳ制御装置１８との間において、ＥＣＨＯＮＥＴ  Ｌｉｔｅ（登録商標）が使用される。端末装置１２はサーバ２０と通信し、サーバ２０はエレベータ１０と通信する。この場合、エレベータ１０とサーバ２０との間において、ＥＣＨＯＮＥＴ  Ｌｉｔｅ（登録商標）が使用される。
【００４７】
本実施例によれば、ホームエレベータの機器クラスに対応するプロパティ情報の設定を要求する設定要求、あるいはホームエレベータの機器クラスに対応するプロパティ情報の読み出しを要求する読み出し要求を受信するので、エレベータ１０をネットワーク連携させることができる。また、エレベータ１０がネットワーク連携されるので、ネットワークを通じて、エレベータ１０の機能の状態確認・設定したり、通知したりすることができる。また、読み出し要求におけるプロパティ情報は、エレベータ１０の稼働状態に関する情報を含んでいるので、ネットワークを通じて、エレベータ１０の稼働状態を参照できる。また、また、エレベータ１０の稼働状態に関する情報は、エレベータ１０の停止階に関する情報を含んでいるので、ネットワークを通じて、エレベータ１０の停止階を参照できる。また、エレベータ１０の稼働状態に関する情報は、エレベータ１０の移動方向に関する情報を含んでいるので、ネットワークを通じて、エレベータ１０の移動方向を参照できる。
【００４８】
また、設定要求と読み出し要求の少なくとも一方におけるプロパティの情報は、エレベータ１０の内部から入力された目的階に関する情報を含んでいるので、ネットワークを通じて、エレベータ１０の目的階を参照・設定したり、通知したりできる。また、設定要求と読み出し要求の少なくとも一方におけるプロパティの情報は、エレベータ１０の外部から入力された目的階方向に関する情報を含んでいるので、ネットワークを通じて、エレベータ１０の目的階方向を参照・設定したり、通知したりできる。
【００４９】
また、読み出し要求におけるプロパティの情報は、エレベータ１０の扉の状態に関する情報を含んでいるので、ネットワークを通じて、エレベータ１０の扉の状態を参照できる。また、読み出し要求におけるプロパティの情報は、エレベータ１０の内部の非常釦の操作の有無に関する情報を含んでいるので、ネットワークを通じて、非常釦の操作の有無を参照できる。また、エレベータ１０の内部の人の有無に関する情報を送信するので、エレベータ１０内の人の有無を通知できる。また、ホームエレベータの機器クラスに対応するプロパティ情報の設定を要求する設定要求、あるいはホームエレベータの機器クラスに対応するプロパティ情報の読み出しを要求する読み出し要求を送信するので、エレベータ１０をネットワーク連携させることができる。
【００５０】
本発明の一態様の概要は、次の通りである。本発明のある態様のエレベータ１０は、エレベータ１０であって、所定の通信プロトコルにしたがって、通信対象となる装置との通信を行う通信部３００を備える。通信部３００は、エレベータの機器クラスに対応するプロパティの情報の設定を要求する設定要求、あるいはエレベータの機器クラスに対応するプロパティの情報の読み出しを要求する読み出し要求を通信対象となる装置から受信する。
【００５１】
読み出し要求におけるプロパティの情報は、エレベータ１０の稼働状態に関する情報を含んでもよい。
【００５２】
エレベータ１０の稼働状態に関する情報は、エレベータ１０の停止階に関する情報を含んでもよい。
【００５３】
エレベータ１０の稼働状態に関する情報は、エレベータ１０の移動方向に関する情報を含んでもよい。
【００５４】
設定要求と読み出し要求の少なくとも一方におけるプロパティの情報は、エレベータ１０の内部から入力された目的階に関する情報を含んでもよい。
【００５５】
設定要求と読み出し要求の少なくとも一方におけるプロパティの情報は、エレベータ１０の外部から入力された目的階方向に関する情報を含んでもよい。
【００５６】
読み出し要求におけるプロパティの情報は、エレベータ１０の扉の状態に関する情報を含んでもよい。
【００５７】
読み出し要求におけるプロパティの情報は、エレベータ１０の内部の非常釦の操作の有無に関する情報を含んでもよい。
【００５８】
エレベータ１０の内部の人の有無を検知するセンサ３０４をさらに備えてもよい。通信部３００は、センサ３０４において検知したエレベータ１０の内部の人の有無に関する情報を送信してもよい。
【００５９】
エレベータ１０の昇降を制御する制御部３０２をさらに備えてもよい。
【００６０】
本発明の別の態様は、通信装置である。この装置は、エレベータ１０に接続可能な通信装置であって、所定の通信プロトコルにしたがって、通信対象となる装置との通信を行う通信部３００を備える。通信部３００は、エレベータの機器クラスに対応するプロパティの情報の設定を要求する設定要求、あるいはエレベータの機器クラスに対応するプロパティの情報の読み出しを要求する読み出し要求を通信対象となる装置から受信する。
【００６１】
本発明のさらに別の態様もまた、通信装置である。この装置は、所定の通信プロトコルにしたがって、エレベータ１０に接続された装置であって、かつ通信対象となる装置との通信を行う通信部２００を備える。通信部２００は、エレベータの機器クラスに対応するプロパティの情報の設定を要求する設定要求、あるいはエレベータの機器クラスに対応するプロパティの情報の読み出しを要求する読み出し要求を通信対象となる装置に送信する。
【００６２】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【符号の説明】
【００６３】
１０  エレベータ、  １２  端末装置（通信装置）、  １４  他機器、  １６  ルータ、  １８  ＨＥＭＳ制御装置（通信装置）、  ２０  サーバ（通信装置）、  １００  通信システム、  ２００  通信部、  ２０２  処理部、  ２０４  操作部、  ２０６  表示部、  ２０８  記憶部、  ３００  通信部、  ３０２  制御部、  ３０４  センサ（検知部）、  ３０６  設定部。
【図１】
2019089609.tif 000003
【図２】
2019089609.tif 000004
【図３】
2019089609.tif 000005
【図４】
2019089609.tif 000006
【図５】
2019089609.tif 000007
【図６】
2019089609.tif 000008
【図７】
2019089609.tif 000009
【図８】
2019089609.tif 000010
【図９】
2019089609.tif 000011